(57)【要約】【課題】超広角レンズや超広角ズームレンズに装着しストロボ撮影を行っても撮影画像に支障のないレンズフード、及びこのレンズフードを備えたカメラシステムを提供する。【解決手段】撮影用発光部２０を備えたカメラ１の鏡筒４に取り付けるための取付部１０５と、取付部１０５から鏡筒４とは反対の方向へ延在した花弁形状の遮光部１０１、１０２，１０３と、取付部１０５から鏡筒４とは反対の方向へ延在し先端部分１０４ａが内側へ折れ曲がった形状の変形遮光部１０４とを有し、変形遮光部１０４は、撮影用発光部２０側に配置可能であることを特徴とする。【選択図】図１
2006284762.tif 000002
【特許請求の範囲】
【請求項１】
撮影用発光部を備えたカメラの鏡筒に取り付けるための取付部と、
前記取付部から前記鏡筒とは反対の方向へ延在した花弁形状の遮光部と、
前記取付部から前記鏡筒とは反対の方向へ延在し先端部分が内側へ折れ曲がった形状の変形遮光部とを有し、
前記変形遮光部は、前記撮影用発光部側に配置可能であることを特徴とするレンズフード。
【請求項２】
前記変形遮光部は、前記先端部分が前記カメラの撮影光軸に対して略垂直であることを特徴とする請求項１に記載のレンズフード。
【請求項３】
前記遮光部は３つ備えられており、
前記遮光部の１つと前記変形遮光部とは、前記カメラの撮影光軸を挟んで対向して配置されており、
残り２つの前記遮光部どうしも、前記カメラの撮影光軸を挟んで対向して配置されていることを特徴とする請求項１又は請求項２に記載のレンズフード。
【請求項４】
前記遮光部及び前記変形遮光部はそれぞれ２つずつ備えられており、
前記遮光部どうしは、前記カメラの撮影光軸を挟んで対向して配置されており、
前記変形遮光部どうしも、前記カメラの撮影光軸を挟んで対向して配置されていることを特徴とする請求項１又は請求項２に記載のレンズフード。
【請求項５】
前記遮光部及び前記変形遮光部はそれぞれ、前記鏡筒内の撮影光学系の焦点距離に基づいた、前記鏡筒に不要な光が入射することを防ぐ形状であることを特徴とする請求項１から請求項４のいずれか１項に記載のレンズフード。
【請求項６】
前記取付部は、前記変形遮光部を前記撮影用発光部側に配置するために、当該レンズフードの前記鏡筒に対する周方向位置を位置決めすることを特徴とする請求項１から請求項５のいずれか１項に記載のレンズフード。
【請求項７】
撮像手段を備えたカメラ本体部と、
前記撮像手段に対して被写体の像を結ぶ撮影光学系を備えた鏡筒部と、
前記被写体に対して撮影補助光を照射する撮影用発光部と、
前記鏡筒部の被写体側に取り付けられたレンズフードと、を備えたカメラシステムにおいて、
前記レンズフードは、前記被写体側へ延在した花弁形状の複数の遮光部と、前記被写体側へ延在し先端部分が前記撮影光学系の光軸側へ折れ曲がった形状の変形遮光部とを有し、前記変形遮光部が前記撮影用発光部側に位置することを特徴とするカメラシステム。
【発明の詳細な説明】
【技術分野】
【０００１】
本発明は、撮影レンズに装着されるレンズフード、及びこのレンズフードを備えたカメラシステムに関する。
【背景技術】
【０００２】
従来、カメラの撮影レンズに画角外の有害な光線が入射することを防ぐため、撮影レンズの先端に装着される種々のレンズフードが知られている。例えば、望遠レンズには円筒型のレンズフードがよく用いられ、標準レンズや広角レンズには円錐型や角型のレンズフードが用いられる。また、超広角レンズに用いられるレンズフードとしては、撮影画像の各辺に対応した遮光壁部分のみを先端方向、即ち被写体側へ突出させたレンズフードが知られている（例えば、特許文献１を参照。）。このタイプのレンズフードは、先端方向へ突出した遮光壁部分の形状が花弁に似ていることから花弁型レンズフードやチューリップ型レンズフードと呼ばれている。
【特許文献１】特開平11-295780号公報
【発明の開示】
【発明が解決しようとする課題】
【０００３】
しかしながら、超広角レンズによる撮影においてストロボを使用する場合、特にカメラ本体に装備された内蔵ストロボを使用する場合には、レンズに花弁型レンズフードを装備したままでは花弁形状の遮光壁部分によってストロボ光の一部が遮られてしまう、いわゆるストロボ光にケラレが発生してしまう。このため、撮影画像の一部に黒い影ができてしまうという不具合があった。
【０００４】
また、斯かる不具合は超広角領域を含むズームレンズ（以下、「超広角ズームレンズ」という。）でも同様に発生する。このため、超広角ズームレンズによる撮影において内蔵ストロボを使用する際には、常に焦点距離を考慮し、ストロボ光にケラレが発生するおそれがある場合にはレンズフードをレンズから取り外すという煩わしい作業が必要であった。
【０００５】
そこで本発明は上記問題点に鑑みてなされたものであり、超広角レンズや超広角ズームレンズに装着してストロボ撮影を行っても撮影画像に支障のないレンズフード、及びこのレンズフードを備えたカメラシステムを提供する。
【課題を解決するための手段】
【０００６】
上記課題を解決するために本発明は、
撮影用発光部を備えたカメラの鏡筒に取り付けるための取付部と、
前記取付部から前記鏡筒とは反対の方向へ延在した花弁形状の遮光部と、
前記取付部から前記鏡筒とは反対の方向へ延在し先端部分が内側へ折れ曲がった形状の変形遮光部とを有し、
前記変形遮光部は、前記撮影用発光部側に配置可能であることを特徴とするレンズフードを提供する。
【０００７】
また本発明は、
撮像手段を備えたカメラ本体部と、
前記撮像手段に対して被写体の像を結ぶ撮影光学系を備えた鏡筒部と、
前記被写体に対して撮影補助光を照射する撮影用発光部と、
前記鏡筒部の被写体側に取り付けられたレンズフードと、を備えたカメラシステムにおいて、
前記レンズフードは、前記被写体側へ延在した花弁形状の複数の遮光部と、前記被写体側へ延在し先端部分が前記撮影光学系の光軸側へ折れ曲がった形状の変形遮光部とを有し、前記変形遮光部が前記撮影用発光部側に位置することを特徴とするカメラシステムを提供する。
【発明の効果】
【０００８】
本発明によれば、超広角レンズや超広角ズームレンズに装着しストロボ撮影を行っても撮影画像に支障のない或いはストロボ光がケラレることを低減したレンズフード、及びこのレンズフードを備えたカメラシステムを提供することができる。
【発明を実施するための最良の形態】
【０００９】
（第１実施形態）
以下、本発明の第１実施形態に係るレンズフードを備えた一眼レフカメラシステムを添付図面に基づいて説明する。
図１は、本発明の第１実施形態に係るレンズフードを備えた一眼レフカメラシステムを示す断面図である（後述のストロボ２０は使用状態である。）。
図１に示すように、本実施形態の一眼レフカメラシステム１は、カメラ本体２と、交換レンズ３と、レンズフード１００とから構成されている。
【００１０】
交換レンズ３は、撮影レンズを収納した円筒形状の固定筒部４からなり、焦点距離１８ｍｍ〜１２０ｍｍの範囲で変倍可能な超広角ズームレンズである。
固定筒部４におけるカメラ本体２側の端部にはマウント部５が形成されており、交換レンズ３はカメラ本体２に対してバヨネット方式で取り外し自在に取り付けられている。また、固定筒部４における反対側端部、即ち不図示の被写体側の端部外周にはレンズフード１００を装着するためのフード受け部６が形成されている。さらに固定筒部４の外周には、ズーム操作を行うためのズーム操作環７が設けられている。なお、フード受け部６の構成については後述する。
【００１１】
撮影レンズは、不図示の被写体側から順に、第１レンズ群Ｌ１と、ズーム操作環７のズーム操作によって光軸ＡＸ方向へ移動する第２レンズ群Ｌ２と、第３レンズ群Ｌ３と、第４レンズ群Ｌ４とからなり、それぞれのレンズ群は固定筒部４に支持されている。また第２レンズ群Ｌ２は、不図示の合焦操作環の操作や不図示の超音波モータの駆動によって光軸ＡＸ方向へ移動することで合焦動作を行うことができる。
【００１２】
カメラ本体２は、カメラボディ１０内に、ファインダー１１と、被写体像を電気信号に変換するＣＣＤからなる撮像部１２と、撮影時の露光条件を決定するために光量を測定する測光部１３と、ＣＰＵ１４と、電源電池を収納した電池室１５と、撮影実行の指示を与える不図示のレリーズスイッチとを備えてなる。またカメラボディ１０には、交換レンズ３を装着するための開口部１６が形成されている。さらに、カメラ本体２上部、詳しくは前記開口部１６の略真上位置には、レリーズ動作と露光条件からＣＰＵ１４が必要と判断したときに自動的に発光準備状態となるストロボ２０を有している。
【００１３】
ここで一般に、ストロボを発光させて撮影を行う即ちストロボ撮影時には、ストロボの発光部と光軸とが近い場合、目の網膜中で血液が多く流れている脈絡膜層にストロボの光が反射し、被写体像の目が赤く写ってしまう、いわゆる赤目現象が起きやすくなる。このため、ストロボの発光部は光軸からなるべく離す必要がある。
【００１４】
本実施形態におけるストロボ２０は、不使用時はカメラボディ１０の上部に収納されており、使用時にはカメラボディ１０の上後部にある不図示の回転軸周りに回動することで図１に示す使用状態となるオートポップアップストロボである。この構成により、ストロボ２０使用時にはその発光部２１が光軸ＡＸと離れ、赤目現象の発生を低減させることができる。なお、本実施形態におけるストロボ２０は、交換レンズ３として焦点距離１８ｍｍの撮影レンズを用いた場合の撮影範囲を照射する能力を有している。
【００１５】
以下、本実施形態において最も特徴的なレンズフード１００の構成について説明する。
はじめに、本実施形態に係るレンズフード１００の基本的な機能について説明する。
撮影レンズは、円形のレンズで構成されているため、結像面において撮影画像は撮影レンズの光軸ＡＸと交差する点を中心に同心円上では同等な像が得られる。即ち、結像面の中央付近では歪みも小さく鮮明な像を得られるが、中心からある程度離れる（像高が高くなる）と、次第に像は暗くなり歪み等も大きくなる。このため、所定の規格を設けて撮影画像として適した範囲（以下、「イメージサークル」という。）が決められている。
一方、撮像部１２における撮像面は、横２３．７ｍｍ×縦１５．６ｍｍの長方形である。このため、通常は撮像部１２の対角線長さとイメージサークルの直径とが等しい、又は撮像部１２の対角線長さよりもイメージサークルの直径が長くなるように設定されている。
【００１６】
ここで、撮像部１２の四隅がイメージサークルにちょうど収まる場合、即ち撮像部１２の対角線長さとイメージサークルの直径とが同じ場合を考える。イメージサークル内では全領域で結像しているものの、撮像部１２の撮像面は上述のように長方形であるため、この長方形よりも外側に結ばれた像は、撮影画像に寄与しない。そしてこの撮影画像に寄与しない像を形成する光束（以下、「不要光束」という。）は、不要であるばかりでなく内部散乱等によって撮影画像に悪影響をもたらすことがある。したがってレンズフード１００の働きは、斯かる不要光束を遮光することで、不要な光束が撮影画像に対して悪影響を及ぼすことを低減することにある。
【００１７】
次に、本実施形態に係るレンズフード１００の構成について説明する。
図２（ａ），（ｂ）はそれぞれ、本発明の第１実施形態に係るレンズフードの構成を示す断面図，正面図である。
図２に示すように本実施形態に係るレンズフード１００は、被写体側へ向かって径が広がる形状の環状部材１０６に、不要光束を遮光するために被写体側へ延在した花弁形状の３つの遮光部１０１，１０２，１０３と、同じく不要光束を遮光するために被写体側へ延在し先端部分が内側へ折れ曲がった形状の変形遮光部１０４とを一体的に備えて構成されている。
【００１８】
遮光部１０１と遮光部１０３とは、被写体方向への長さが同じであって、かつ図２（ｂ）に示すように左右に対向するように、詳細には本レンズフード１００を交換レンズ３に装着した際に該レンズ３の光軸ＡＸを挟んで対向するように配置されている。
また遮光部１０２は、遮光部１０１，１０３よりも被写体方向へ長い花弁形状であって、かつ図２（ｂ）に示すように変形遮光部１０４と上下に対向するように、詳細には交換レンズ３の光軸ＡＸを挟んで変形遮光部１０４と対向するように配置されている。
【００１９】
また環状部材１０６における被写体と反対側の端部内周には、上記変形遮光部１０４が交換レンズ３の真上、即ちカメラ本体２におけるストロボ２０の真下に位置するように、本レンズフード１００を交換レンズ３のフード受け部６に取り付けるための取付部１０５が設けられている。
ここで本実施形態において、交換レンズ３のフード受け部６は、固定筒部４の被写体側端部外周に形成された、周方向へ延びる不図示の案内溝からなり、フード１００の取付部１０５は、環状部材１０６端部内周において周方向へ延びた、前記案内溝と嵌まり合って固定筒部４に対するレンズフード１００の周方向位置を位置決めする不図示の凸条からなる。なお、取付部１０５とフード受け部６の構成はこれに限られず、変形遮光部１０４をストロボ２０の真下に配置するように、固定筒部４に対するレンズフード１００の周方向位置を位置決めできるような公知の構成としてもよい。
【００２０】
なお、上述のストロボ２０と開口部１６との位置関係、及び前述したフード１００の位置決めの構成により、レンズフード１００を装着した交換レンズ３をカメラ本体２に取り付けた際には、カメラ本体２を正面から見てストロボ２０の発光部２１、変形遮光部１０４、及び交換レンズ３の光軸ＡＸは上下方向に一直線上に位置することとなる。
【００２１】
次に、変形遮光部１０４の構成について説明する。
図１における光線ＬＥは、焦点距離１８ｍｍの撮像に必要な光束の最外周光線を示しており、該光線ＬＥよりも外側から交換レンズ３へ入射する光は不要光束となる。本実施形態に係るレンズフード１００は、図１に示すように遮光部１０１，１０２，１０３及び変形遮光部１０４によって不要光束を遮光している。なお、図１における光線ＦＥは、焦点距離１８ｍｍの撮影範囲をカバーするストロボ光の最外周光線を示している。
【００２２】
ここで一般に、花弁形状の４つの遮光部を備えた従来の花弁型レンズフードは、ストロボ側の遮光部も図中点線（Ｓ）で示すように被写体側にせり出た構成である。一方、超広角レンズを用いて撮影を行う場合には、大きな画角に対応する撮影範囲全体にわたってストロボ光を供給する必要があるため、ストロボ光の照射範囲を広くする必要がある。このため、図中点線にて示すように被写体側にせり出た遮光部Ｓは、ストロボ光の照射範囲内へ入り込んでしまう。したがって、ストロボ撮影に必要な光線ＦＥ及び点線で示した遮光部Ｓに入射する光束は該遮光部Ｓによって遮光され、撮影範囲の一部を照明することができなくなってしまう。
なお、点線で示した遮光部Ｓは、一般の花弁型フードの遮光部を説明するために便宜的に符号を付して示したものにすぎず、本実施形態において実際に設けられているものではない。
【００２３】
以上より、本レンズフード１００における上述の変形遮光部１０４は、その先端部分１０４ａが光線ＦＥと交差する僅かに手前、即ち僅かに交換レンズ３寄りの位置であって、光軸ＡＸに対して略垂直となるように内側へ折り曲がった形状に設けられている。これにより、変形遮光部１０４がストロボ撮影に必要なストロボ２０からの光を遮ることを防止することができる。
さらに、変形遮光部１０４における折り曲がった先端部分１０４ａは、該先端部分１０４ａが最外周光線ＬＥを遮光する僅かに手前まで延在するように、長さを調整して設けられている。つまり、撮像位置における撮像面（撮像範囲）を遮光位置に投影し、撮像範囲より外側の光を遮光するようにしている。これにより、撮影に必要な光束を遮光することなく、不要光束のみを適切に遮光することができる。
【００２４】
なお、より詳しくは変形遮光部１０４における先端部分１０４ａの折り曲げ位置や長さは、交換レンズ３の焦点距離、ストロボ２０の発光部２１の位置、ストロボ光の放射角等に基づいて、ストロボ光を遮ることなく不要光束を適切に遮光するように設計されている。
また、本実施形態では、上述のように変形遮光部１０４の先端部分１０４ａが光線ＦＥと交差しない位置で折り曲げることによってストロボ光を遮光しない構成としているが、折り曲げ位置はこれに限られず、撮影画像において見た目上の問題がなければ光線ＦＥと多少交差する位置であってもよい。
【００２５】
以上より本実施形態に係るレンズフード１００は、超広角の交換レンズを用いたストロボ撮影においても、ストロボ光を遮ることなく、かつ不要光束を適切に遮光することができるため、交換レンズから取り外さずにそのまま撮影を行うことができる。
また、本実施形態に係るレンズフードを備えた一眼レフカメラシステム１は、レンズフードを装着したままで焦点距離に関わりなくストロボ撮影を行うことができる。このため、ストロボ撮影時にレンズフード１００を取り外す煩わしさを解消することができる。そして、従来のように不意にレンズフードを装着したままでストロボ撮影を行った際に起こっていた、撮影画像の一部が暗くなってしまうという撮影の失敗を解消することができる。
なお、本実施形態では、交換レンズ３として超広角ズームレンズを備えているが、本レンズフード１００はズーム機能を有しない超広角レンズに対しても勿論有用である。
【００２６】
（第２実施形態）
以下、本発明の第２実施形態に係るレンズフード２００を備えた一眼レフカメラシステムを添付図面に基づいて説明する。
本実施形態の一眼レフカメラシステムは、カメラ本体と、交換レンズと、後述するレンズフード２００とから構成されており、カメラ本体及び交換レンズの構成は上記第１実施形態と同様であるため図面及びその説明を省略する。また、本実施形態に係るレンズフード２００については、上記第１実施形態に係るレンズフード１００と同様の構成である部分には同じ符号を付して説明を省略し、特徴的な部分について詳細に説明する。なお、これらのことは本実施形態以降の各実施形態についても同様である。
【００２７】
図３（ａ），（ｂ）はそれぞれ、本発明の第２実施形態に係るレンズフードの構成を示す断面図，正面図である。
図３に示すように、本実施形態に係るレンズフード２００は、上記第１実施形態における遮光部１０２にかえて、変形遮光部１０４と同形状の変形遮光部２０１を備えた構成である。これにより、遮光部の光軸方向長さを短縮することができ、該遮光部が被写体側へせり出すことを解消できる。
【００２８】
通常、従来の花弁型レンズフードを撮影に用いる場合には、カメラ本体の下側に配置される遮光部がカメラボディの底面よりも下方にせり出してしまうため、カメラを机上等に置く際にとても不安定となってしまう。
これに対し本実施形態に係るレンズフード２００では、上述の構成によりカメラ本体２の下側に配置される遮光部即ち変形遮光部２０１がカメラボディ１０の底面よりも下方にせり出す量が少なくなる。このため、カメラを机上等に置いた際の安定性を向上させることができる。
【００２９】
以上より本実施形態に係るレンズフードは、上記第１実施形態と同様の効果に加え、前述したカメラ本体２の安定性向上という効果も奏することができる。また、遮光部を４箇所すべて折り曲げてしまうことも考えられるが、レンズ前部にフィルター等を装着することが困難となる。
【００３０】
（第３実施形態）
以下、本発明の第３実施形態に係るレンズフード３００を備えた一眼レフカメラシステムを添付図面に基づいて説明する。
図４（ａ），（ｂ）はそれぞれ、本発明の第３実施形態に係るレンズフードの構成を示す断面図，正面図である。
図４に示すように、本実施形態に係るレンズフード３００は、上記第１実施形態における変形遮光部１０４にかえて、変形遮光部３０１を備えた構成である。
上述のように第１実施形態における変形遮光部１０４は、その先端部分１０４ａが光軸に対して略垂直となるように内側へ折り曲がった形状である。
【００３１】
これに対し本実施形態における変形遮光部３０１は、その先端部分３０１ａが光線ＦＥと交差する僅かに手前で内側へ斜めに折り曲がった形状に設けられている。特に、本実施形態においては、先端部分３０１ａが光線ＦＥと略平行となる折り曲げ角度でもって折り曲げられている。
これにより、変形遮光部３０１がストロボ撮影に必要なストロボ２０からの光を遮ることを防止することができる。本実施形態では、先端部分３０１ａを斜めに折り曲げた構成により、上記第１実施形態に比して、レンズフード３００の開口部を大きくすることができる。また、遮光部の折り曲げを前にせり出すようにすることにより、斜入射による有害光を遮断する効果が生まれる。したがって、フード３００内に直接手を挿入して行われるフィルター操作等をより容易に行うことができる。
なお、先端部分３０１ａの折り曲げ角度は、光線ＬＥを遮らないような角度であれば自由に設定してもよい。
【００３２】
さらに、変形遮光部３０１における折り曲がった先端部分３０１ａは、該先端部分３０１ａが最外周光線ＬＥを遮光する僅かに手前まで延在するように、長さを調整して設けられている。これにより、撮影に必要な光束を遮光することなく、不要光束のみを適切に遮光することができる。
【００３３】
なお、より詳しくは変形遮光部３０１における先端部分３０１ａの折り曲げ位置や長さは、交換レンズ３の焦点距離、ストロボ２０の発光部２１の位置、ストロボ光の放射角等に基づいて、ストロボ光を遮ることなく不要光束を適切に遮光するように設計されている。
さらに、本実施形態では、上述のように変形遮光部３０１の先端部分３０１ａが光線ＦＥと交差しない位置で折り曲げることによってストロボ光を遮光しない構成としているが、折り曲げ位置はこれに限られず、撮影画像において見た目上の問題がなければ光線ＦＥと多少交差する位置であってもよく、折り曲げ位置を環状部材１０６側へに近付けることで折り曲げ角度をより緩やかにすることもできる。
【００３４】
以上より本実施形態に係るレンズフード３００は、上記第１実施形態と同様の効果に加え、前述したフィルター操作の容易化という効果も奏することができる。
【００３５】
（第４実施形態）
以下、本発明の第４実施形態に係るレンズフード４００を備えた一眼レフカメラシステムを添付図面に基づいて説明する。
図５（ａ），（ｂ）はそれぞれ、本発明の第４実施形態に係るレンズフードの構成を示す断面図，正面図である。
図５に示すように、本実施形態に係るレンズフード４００は、上記第３実施形態における遮光部１０２にかえて、変形遮光部３０１と同形状の変形遮光部４０１を備えた構成である。これにより、遮光部の光軸方向長さを短縮することができ、該遮光部が被写体側へせり出すことを解消できる。したがって上記第２実施形態と同様に、カメラ本体２の下側に配置される遮光部即ち変形遮光部４０１がカメラボディ１０の底面よりも下方にせり出す量が少なくなり、カメラを机上等に置いた際の安定性を向上させることができる。
【００３６】
以上より本実施形態に係るレンズフードは、上記第１実施形態と同様の効果に加え、フィルター操作の容易化及びカメラ本体２の安定性向上という効果も奏することができる。
【００３７】
以上の各実施形態によれば、超広角レンズや超広角ズームレンズに装着しストロボ撮影を行っても撮影画像に支障のないレンズフード、及びこのレンズフードを備えたカメラシステムを実現することができる。
【００３８】
なお、本発明のレンズフードの構成は、上述した４つの実施形態に限られず、遮光部がストロボ光を遮ることなく或いは撮影画像に支障のない程度に遮る程度であって、かつ不要光束を遮光できるような構造であればよい。例えば、全ての遮光部が内側に折り曲がった形状であっても構わない。この場合、フードの開口を大きくすることができるため、従来の角窓型レンズフード等に比してフィルター操作等をより容易に行うことができる。
【図面の簡単な説明】
【００３９】
【図１】本発明の第１実施形態に係るレンズフードを備えた一眼レフカメラシステムを示す断面図である。
【図２】（ａ），（ｂ）はそれぞれ、本発明の第１実施形態に係るレンズフードの構成を示す断面図，正面図である。
【図３】（ａ），（ｂ）はそれぞれ、本発明の第２実施形態に係るレンズフードの構成を示す断面図，正面図である。
【図４】（ａ），（ｂ）はそれぞれ、本発明の第３実施形態に係るレンズフードの構成を示す断面図，正面図である。
【図５】（ａ），（ｂ）はそれぞれ、本発明の第４実施形態に係るレンズフードの構成を示す断面図，正面図である。
【符号の説明】
【００４０】
１        一眼レフカメラシステム
２        カメラ本体
３        交換レンズ
２０      ストロボ
１００    レンズフード
１０１，１０２，１０３    遮光部
１０４    変形遮光部
１０４ａ  変形遮光部の先端部分
１０５    取付部
１０６    環状部材
ＡＸ      光軸
【図１】
2006284762.tif 000003
【図２】
2006284762.tif 000004
【図３】
2006284762.tif 000005
【図４】
2006284762.tif 000006
【図５】
2006284762.tif 000007